(57)【要約】【課題】  移動局からノード（ｅＮＢ）のＲＲＣレイヤへの不要なセルの伝播環境の測定結果の報告を抑制可能な移動体通信システムを提供する。【解決手段】  ノード装置は、手順ａ５において、ハンドオーバの判定を行う基となるセルの伝播環境の測定結果をノード装置に報告することを移動局に要求する時に、ＲＲＣレイヤでの測定結果の報告の対象となる（測定結果の報告が不要な）セルをも移動局に通知する。移動局は、手順ａ６において、セルの伝播環境の測定を行った時にノード装置から通知された上記のセルの情報を考慮して、ＲＲＣレイヤでの測定結果の報告が必要であるかを判定する。したがって、移動局は不要なＲＲＣレイヤでの測定結果の報告を抑制することになり、移動局での電力消費及びノード装置での処理負荷各々の軽減が可能となる。【選択図】      図３
2008034894.tif 000002
【特許請求の範囲】
【請求項１】
移動局と、前記移動局との無線通信を行う無線基地局と前記無線基地局を制御する無線ネットワーク制御装置とが一体化したノード装置とから構成される移動体通信システムであって、
前記移動局は、ソフトハンドオーバが実施されない状況でのＦＣＳ（Ｆａｓｔ  Ｃｅｌｌ  Ｓｅｌｅｃｔｉｏｎ）の実施において、ＲＲＣ（Ｒａｄｉｏ  Ｒｅｓｏｕｒｃｅ  Ｃｏｎｔｒｏｌ）レベルでの伝播環境の報告が必要な時にのみ前記ノード装置に前記ＲＲＣレベルでの伝播環境の報告を行う手段を有することを特徴とする移動体通信システム。
【請求項２】
前記移動局は、前記ＲＲＣレベルでの伝播環境の報告の必要性を判断する手段を含むことを特徴とする請求項１記載の移動体通信システム。
【請求項３】
前記ノード装置は、前記移動局に前記ＲＲＣレベルでの伝播環境の報告の対象となるセル及び前記ＲＲＣレベルでの伝播環境の報告が不要なセルのいずれかを通知する手段を含むことを特徴とする請求項１または請求項２記載の移動体通信システム。
【請求項４】
前記ノード装置は、前記移動局の移動に伴って当該移動局が滞在するセルが変更された時に前記ＲＲＣレベルでの伝播環境の報告の対象となるセル及び前記ＲＲＣレベルでの伝播環境の報告が不要なセルを更新することを特徴とする請求項３記載の移動体通信システム。
【請求項５】
前記移動局は、自局が滞在するセルが前記ＲＲＣレベルでの伝播環境の報告が不要なセルの場合に前記ノード装置に前記ＲＲＣレベルでの伝播環境の報告を抑制することを特徴とする請求項１から請求項４のいずれか記載の移動体通信システム。
【請求項６】
移動局との無線通信を行う無線基地局と前記無線基地局を管理する無線ネットワーク制御装置とが一体化したノード装置であって、
前記移動局にＲＲＣ（Ｒａｄｉｏ  Ｒｅｓｏｕｒｃｅ  Ｃｏｎｔｒｏｌ）レベルでの伝播環境の報告の対象となるセル及び前記ＲＲＣレベルでの伝播環境の報告が不要なセルのいずれかを示す情報を通知する手段を有し、
前記移動局から、ソフトハンドオーバが実施されない状況でのＦＣＳ（Ｆａｓｔ  Ｃｅｌｌ  Ｓｅｌｅｃｔｉｏｎ）の実施において、前記情報を基に前記ＲＲＣレベルでの伝播環境の報告が必要な時にのみ前記ノード装置に前記ＲＲＣレベルでの伝播環境の報告が行われることを特徴とするノード装置。
【請求項７】
前記移動局の移動に伴って当該移動局が滞在するセルが変更された時に前記ＲＲＣレベルでの伝播環境の報告の対象となるセル及び前記ＲＲＣレベルでの伝播環境の報告が不要なセルを更新することを特徴とする請求項６記載のノード装置。
【請求項８】
前記移動局において、当該移動局が滞在するセルが前記ＲＲＣレベルでの伝播環境の報告が不要なセルの場合に前記ノード装置に前記ＲＲＣレベルでの伝播環境の報告を抑制されることを特徴とする請求項６または請求項７記載のノード装置。
【請求項９】
無線基地局と前記無線基地局を管理する無線ネットワーク制御装置とが一体化したノード装置との間で無線通信を行う移動局であって、
ソフトハンドオーバが実施されない状況でのＦＣＳ（Ｆａｓｔ  Ｃｅｌｌ  Ｓｅｌｅｃｔｉｏｎ）の実施において、ＲＲＣ（Ｒａｄｉｏ  Ｒｅｓｏｕｒｃｅ  Ｃｏｎｔｒｏｌ）レベルでの伝播環境の報告が必要な時にのみ前記ノード装置に前記ＲＲＣレベルでの伝播環境の報告を行う手段を有することを特徴とする移動局。
【請求項１０】
前記ＲＲＣレベルでの伝播環境の報告の必要性を判断する手段を含むことを特徴とする請求項９記載の移動局。
【請求項１１】
前記ノード装置から前記ＲＲＣレベルでの伝播環境の報告の対象となるセル及び前記ＲＲＣレベルでの伝播環境の報告が不要なセルのいずれかを示す情報が通知された時に当該情報を基に前記ＲＲＣレベルでの伝播環境の報告が必要な時にのみ前記ノード装置に前記ＲＲＣレベルでの伝播環境の報告を行うことを特徴とする請求項９または請求項１０記載の移動局。
【請求項１２】
前記ＲＲＣレベルでの伝播環境の報告の対象となるセル及び前記ＲＲＣレベルでの伝播環境の報告が不要なセルが、自局の移動に伴って自局が滞在するセルが変更された時に更新されることを特徴とする請求項１１記載の移動局。
【請求項１３】
自局が滞在するセルが前記ＲＲＣレベルでの伝播環境の報告が不要なセルの場合に前記ノード装置に前記ＲＲＣレベルでの伝播環境の報告を抑制することを特徴とする請求項９から請求項１２のいずれか記載の移動局。
【請求項１４】
移動局と、前記移動局との無線通信を行う無線基地局と前記無線基地局を制御する無線ネットワーク制御装置とが一体化したノード装置とから構成される移動体通信システムに用いる測定報告抑制方法であって、
前記移動局が、ソフトハンドオーバが実施されない状況でのＦＣＳ（Ｆａｓｔ  Ｃｅｌｌ  Ｓｅｌｅｃｔｉｏｎ）の実施において、ＲＲＣ（Ｒａｄｉｏ  Ｒｅｓｏｕｒｃｅ  Ｃｏｎｔｒｏｌ）レベルでの伝播環境の報告が必要な時にのみ前記ノード装置に前記ＲＲＣレベルでの伝播環境の報告を行う処理を実行することを特徴とする測定報告抑制方法。
【請求項１５】
前記移動局は、前記ＲＲＣレベルでの伝播環境の報告の必要性を判断する処理を実行することを特徴とする請求項１４記載の測定報告抑制方法。
【請求項１６】
前記ノード装置が、前記移動局に前記ＲＲＣレベルでの伝播環境の報告の対象となるセル及び前記ＲＲＣレベルでの伝播環境の報告が不要なセルのいずれかを通知する処理を実行することを特徴とする請求項１４または請求項１５記載の測定報告抑制方法。
【請求項１７】
前記ノード装置が、前記移動局の移動に伴って当該移動局が滞在するセルが変更された時に前記ＲＲＣレベルでの伝播環境の報告の対象となるセル及び前記ＲＲＣレベルでの伝播環境の報告が不要なセルを更新することを特徴とする請求項１６記載の測定報告抑制方法。
【請求項１８】
前記移動局が、自局が滞在するセルが前記ＲＲＣレベルでの伝播環境の報告が不要なセルの場合に前記ノード装置に前記ＲＲＣレベルでの伝播環境の報告を抑制することを特徴とする請求項１４から請求項１７のいずれか記載の測定報告抑制方法。
【発明の詳細な説明】
【技術分野】
【０００１】
本発明は移動体通信システム、ノード装置、移動局及びそれらに用いる測定報告抑制方法に関し、特にノードＢ（Ｎｏｄｅ  Ｂ：無線基地局）とＲＮＣ（Ｒａｄｉｏ  Ｎｅｔｗｏｒｋ  ｃｏｎｔｒｏｌｌｅｒ：無線ネットワーク制御装置）とが一体化したノードで構成されるＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）におけるハンドオーバ方式に関する。
【背景技術】
【０００２】
上記のＵＴＲＡＮは、図４に示すように、ＲＮＣ５−１，５−２とノードＢ６−１〜６−４とから構成されている。ＲＮＣ５−１，５−２はＩｕと呼ばれるインタフェースでコアネットワーク（Ｃｏｒｅ  Ｎｅｔｗｏｒｋ）１００と接続され、Ｉｕｂと呼ばれるインタフェースでノードＢ６−１〜６−４と接続されている。尚、ＲＮＣ５−１，５−２及びノードＢ６−１〜６−４の両ノードをまとめてＲＮＳ（Ｒａｄｉｏ  Ｎｅｔｗｏｒｋ  Ｓｕｂｓｙｓｔｅｍ）４−１，４−２と呼ぶ。
【０００３】
移動局（ＵＥ：Ｕｓｅｒ  Ｅｑｕｉｐｍｅｎｔ）を制御するＲＮＣ５−１，５−２はＳＲＮＣ（Ｓｅｒｖｉｎｇ  Ｒａｄｉｏ  Ｎｅｔｗｏｒｋ  ｃｏｎｔｒｏｌｌｅｒ）４００と呼ばれ、移動局がＳＲＮＣ以外のＲＮＣとのコネクションも保持している場合には、図５に示すように、Ｉｕｒと呼ばれるインタフェースでＳＲＮＣからの制御用信号が他のＲＮＣを経由して移動局に到達する。ここでの他のＲＮＣはＤＲＮＣ（Ｄｒｉｆｔ  Ｒａｄｉｏ  Ｎｅｔｗｏｒｋ  ｃｏｎｔｒｏｌｌｅｒ）３００と呼ばれる。
【０００４】
現在、３ＧＰＰ（３ｒｄ  Ｇｅｎｅｒａｔｉｏｎ  Ｐａｒｔｎｅｒｓｈｉｐ  Ｐｒｏｊｅｃｔ）の標準化において、ＵＴＲＡＮが無線ＬＡＮ（Ｌｏｃａｌ  Ａｒｅａ  Ｎｅｔｗｏｒｋ）等の他の無線通信技術の発展に対して競争力を保つことを目的として、ＵＴＲＡＮの発展に関する検討［ＵＴＲＡＮ  ＬＴＥ（Ｌｏｎｇ  Ｔｅｒｍ  Ｅｖｏｌｕｔｉｏｎ）］が行われている（例えば、非特許文献１〜４参照）。
【０００５】
ＵＴＲＡＮ  ＬＴＥでは、図６に示すように、ＲＮＣとノードＢとを一体化したノード（ｅＮＢ）８−１〜８−４でＵＴＲＡＮを構成することが提案されている。この提案においては、ＬＴＥでのＵＴＲＡＮをＥＵＴＲＡＮ（Ｅｖｏｌｖｅｄ  ＵＴＲＡＮ）６００、ＬＴＥでのコアネットワークをａＧＷ（ａｃｃｅｓｓ  ｇａｔｅｗａｙ）５００と定義し、ノード（ｅＮＢ）８−１〜８−４とａＧＷ５００との間のインタフェースをＳ１、ノード（ｅＮＢ）８−１〜８−４間のインタフェースをＸ２と定義する。
【０００６】
ＲＮＣとノードＢとを一体化することによって、図４に示すＵＴＲＡＮ２００と比較してＥＵＴＲＡＮ６００を構成するノードの数が削減され、ノード数を削減することによって移動局が通信を行うための移動局／ノード（ｅＮＢ）／ａＧＷ間のコネクションの設定遅延が削減される。
【０００７】
これは、図４に示すＵＴＲＡＮ２００でのＲＮＣ／ノードＢ間のコネクションの設定が、図６に示すＥＵＴＲＡＮ６００では不要になるからである。また、ＥＵＴＲＡＮ６００を構成するノードの数が削減されることは、ユーザパケットを処理するノード数が削減されることを意味し、図６に示すＥＵＴＲＡＮ６００では図４に示すＵＴＲＡＮ２００に比べてユーザパケットの転送遅延も削減されることになる。
【０００８】
ＬＴＥでは、ＵＴＲＡＮの構成の改善に加えて、図６に示すＥＵＴＲＡＮ６００で実現される機能の簡素化も検討されている。例として、移動局が複数のセル（Ｃｅｌｌ）から電波を同時に受信するソフトハンドオーバは実施されずに、移動局は移動局が位置するセルのみからの電波を受信することが検討されている。
【０００９】
【非特許文献１】“Ｒｅｑｕｉｒｅｍｅｎｔ  ｆｏｒ  Ｅｖｏｌｖｅｄ  ＵＴＲＡ（Ｅ−ＵＴＲＡ）  ａｎｄ  Ｅｖｏｌｖｅｄ  ＵＴＲＡＮ（Ｅ−ＵＴＲＡＮ）”［３ＧＰＰ  ＴＲ２５．９１３  ｖ７．３．０（２００６−０３）］
【非特許文献２】“Ｐｈｙｓｉｃａｌ  Ｌａｙｅｒ  Ａｓｐｅｃｔｓ  ｆｏｒ  Ｅｖｏｌｖｅｄ  ＵＴＲＡ”［３ＧＰＰ  ＴＲ２５．８１４  ｖ１．４．０（２００６−０５）］
【非特許文献３】“３ＧＰＰ  Ｓｙｓｔｅｍ  Ａｒｃｈｉｔｅｃｔｕｒｅ  Ｅｖｏｌｕｔｉｏｎ  ｏｎ  Ｔｅｃｈｎｉｃａｌ  Ｏｐｔｉｏｎｓ  ａｎｄ  Ｃｏｎｃｌｕｓｉｏｎｓ”［３ＧＰＰ  ＴＲ２３．８８２  ｖ１．１．０（２００６−０４）］
【非特許文献４】“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）”［３ＧＰＰ  ＴＲ２５．８１３  ｖ０．９．１（２００６−０５）］
【発明の開示】
【発明が解決しようとする課題】
【００１０】
ＬＴＥではソフトハンドオーバが実施されず、移動局は常に１つのセルのみでデータの受信を行う。そのため、移動局に良好な通信環境を提供するためには、移動局が電波を受信することが可能なセルの中で、最も環境の良いセルに移動局を収容することが要求される。移動局の移動等によって各セルでの伝播環境が変化する場合には、移動局が通信を行うセルを切替える必要がある。セルの切替えは、瞬断を伴うハードハンドオーバによって実施される。
【００１１】
図７に示すように、移動局７が異なるノード（ｅＮＢ）８−１，８−２配下のセルを跨って移動する場合には、移動局７を管理するノード（ｅＮＢ）８−１，８−２を切替える必要があり、それに伴い、ノード（ｅＮＢ）８−１とａＧＷ５００との間のコネクションも移動局７が新たに接続するノード（ｅＮＢ）８−２へ切替える必要がある。このようなセルの切替えは、図８に示す手順で実現される。
【００１２】
図８において、ソースノード（Ｓｏｕｒｃｅ  ｅＮＢ）は移動局７が移動前に接続していたノード（ｅＮＢ）８−１であり、ターゲットノード（Ｔａｒｇｅｔ  ｅＮＢ）は移動局７が移動後に接続したノード（ｅＮＢ）８−２である。移動局が接続すべきセルはソースノード（Ｓｏｕｒｃｅ  ｅＮＢ）によって決定され（図８の手順ｂ１）、ソースノード（Ｓｏｕｒｃｅ  ｅＮＢ）が保持している移動局との通信に必要な情報がソースノード（Ｓｏｕｒｃｅ  ｅＮＢ）からターゲットノード（Ｔａｒｇｅｔ  ｅＮＢ）に転送される（図８の手順ｂ２，ｂ３）。
【００１３】
また、ソースノード（Ｓｏｕｒｃｅ  ｅＮＢ）に滞留していて移動局で未送信のデータもソースノード（Ｓｏｕｒｃｅ  ｅＮＢ）からターゲットノード（Ｔａｒｇｅｔ  ｅＮＢ）に転送される（図８の手順ｂ４）。移動局はソースノード（Ｓｏｕｒｃｅ  ｅＮＢ）から通知された移動先のセルに接続し（図８の手順ｂ５）、ターゲットノード（Ｔａｒｇｅｔ  ｅＮＢ）に新たなセルに接続したことを通知する（図８の手順ｂ６）。
【００１４】
その後、ターゲットノード（Ｔａｒｇｅｔ  ｅＮＢ）はａＧＷにソースノード（Ｓｏｕｒｃｅ  ｅＮＢ）とａＧＷとの間のコネクションをターゲットノード（Ｔａｒｇｅｔ  ｅＮＢ）とａＧＷとの間に切替えることを要求する（図８の手順ｂ７）。これらの処理は、図９に示すノード（ｅＮＢ）のプロトコルスタックのＲＲＣ（Ｒａｄｉｏ  Ｒｅｓｏｕｒｃｅ  Ｃｏｎｔｒｏｌ）レイヤ６１で制御される。
【００１５】
尚、ＲＬＣ（Ｒａｄｉｏ  Ｌｉｎｋ  Ｃｏｎｔｒｏｌ）レイヤ６２では、主に、再送制御によるデータの到達保障が行われ、ＭＡＣ（Ｍｅｄｉｕｍ  Ａｃｃｅｓｓ  Ｃｏｎｔｒｏｌ）レイヤ６３では、主に、無線区間に送信されるデータのスケジューリングが行われ、ＰＨＹ（ＰＨＹｓｉｃａｌ）レイヤ６４では、データの変調などの信号処理が行われる。
【００１６】
図８における手順ｂ１（ハンドオーバの実行を決定）は、移動局から報告されるハンドオーバ候補の各セルでの伝播環境の測定結果を基に行われる。この手順ｂ１も、ＲＲＣレイヤ６１によって制御され、ＲＲＣ手順のＭｅａｓｕｒｅｍｅｎｔ  Ｃｏｎｔｒｏｌが使用される。移動局はノード（ｅＮＢ）から指定されたセルの伝播環境の測定を行い、ノード（ｅＮＢ）から指定される基準を満たしたときに、ノード（ｅＮＢ）に測定結果を報告する。ノード（ｅＮＢ）から指定される基準の具体例として、最良の伝播環境のセルが、あるセルから他のセルに変わったというようなものがある。
【００１７】
一方、図１０に示すように、移動局７の移動が同一のノード（ｅＮＢ）８−１配下のセルを跨る場合には、移動局７を管理するノード（ｅＮＢ）８−１を切替える必要がなく、さらに、ノード（ｅＮＢ）８−１とａＧＷ５００との間のコネクションも切替える必要はない。
【００１８】
このような移動局７の移動では、図７に示す移動局７の移動よりも高速に移動局７が通信を行うセルを切替えることが可能であり、ＦＣＳ（Ｆａｓｔ  Ｃｅｌｌ  Ｓｅｌｅｃｔｉｏｎ）という方式が検討されている（非特許文献２）。ＦＣＳでは、図１１に示すように、移動局７が定期的にノード（ｅＮＢ）８に伝播環境が最良のセルを通知し、ノード（ｅＮＢ）８は移動局７から通知されたセルで移動局７にデータを送信する。
【００１９】
これらの処理は、図９に示すノード（ｅＮＢ）のプロトコルスタックのＭＡＣレイヤ６３で制御することが可能である。ＦＣＳの対象となるセルは、ＲＲＣレイヤ６１が決定し、移動局に通知されるが、ＦＣＳの対象となるセルの通知の完了後は、ＲＲＣレイヤ６１での制御は不要である。ＲＲＣレイヤ６１での制御が実施されないことによって、高速に通信を行うセルを切替えることが可能である。
【００２０】
移動局が常に同一のノード（ｅＮＢ）配下に存在するという状況はあり得ず、移動局がノード（ｅＮＢ）間を跨って移動することを考慮するためには、ＲＲＣ手順のＭｅａｓｕｒｅｍｅｎｔ  Ｃｏｎｔｒｏｌが常に実行されている必要がある。しかしながら、移動局がＦＣＳを実行しており、かつ移動局が常に同一のノード（ｅＮＢ）配下に留まっている場合には、ＲＲＣレイヤにセルの伝播環境の測定結果を報告する必要はない。
【００２１】
ＲＲＣ手順のＭｅａｓｕｒｅｍｅｎｔ  ＣｏｎｔｒｏｌとＦＣＳとを独立に動作させた場合には、移動局がＦＣＳを実行しており、かつ移動局が常に同一のノード（ｅＮＢ）配下に留まっているという状況においても、移動局はノード（ｅＮＢ）のＲＲＣレイヤへのセルの伝播環境の測定結果の報告を行ってしまい、ＲＲＣレイヤは不要な測定結果の報告を処理することになる。
【００２２】
そこで、本発明の目的は上記の問題点を解消し、移動局からノード（ｅＮＢ）のＲＲＣレイヤへの不要なセルの伝播環境の測定結果の報告を抑制することができる移動体通信システム、ノード装置、移動局及びそれらに用いる測定報告抑制方法を提供することにある。
【課題を解決するための手段】
【００２３】
本発明による移動体通信システムは、移動局と、前記移動局との無線通信を行う無線基地局と前記無線基地局を制御する無線ネットワーク制御装置とが一体化したノード装置とから構成される移動体通信システムであって、
前記移動局は、ソフトハンドオーバが実施されない状況でのＦＣＳ（Ｆａｓｔ  Ｃｅｌｌ  Ｓｅｌｅｃｔｉｏｎ）の実施において、ＲＲＣ（Ｒａｄｉｏ  Ｒｅｓｏｕｒｃｅ  Ｃｏｎｔｒｏｌ）レベルでの伝播環境の報告が必要な時にのみ前記ノード装置に前記ＲＲＣレベルでの伝播環境の報告を行う手段を備えている。
【００２４】
本発明によるノード装置は、移動局との無線通信を行う無線基地局と前記無線基地局を管理する無線ネットワーク制御装置とが一体化したノード装置であって、
前記移動局にＲＲＣ（Ｒａｄｉｏ  Ｒｅｓｏｕｒｃｅ  Ｃｏｎｔｒｏｌ）レベルでの伝播環境の報告の対象となるセル及び前記ＲＲＣレベルでの伝播環境の報告が不要なセルのいずれかを示す情報を通知する手段を備え、
前記移動局から、ソフトハンドオーバが実施されない状況でのＦＣＳ（Ｆａｓｔ  Ｃｅｌｌ  Ｓｅｌｅｃｔｉｏｎ）の実施において、前記情報を基に前記ＲＲＣレベルでの伝播環境の報告が必要な時にのみ前記ノード装置に前記ＲＲＣレベルでの伝播環境の報告が行われている。
【００２５】
本発明による移動局は、無線基地局と前記無線基地局を管理する無線ネットワーク制御装置とが一体化したノード装置との間で無線通信を行う移動局であって、
ソフトハンドオーバが実施されない状況でのＦＣＳ（Ｆａｓｔ  Ｃｅｌｌ  Ｓｅｌｅｃｔｉｏｎ）の実施において、ＲＲＣ（Ｒａｄｉｏ  Ｒｅｓｏｕｒｃｅ  Ｃｏｎｔｒｏｌ）レベルでの伝播環境の報告が必要な時にのみ前記ノード装置に前記ＲＲＣレベルでの伝播環境の報告を行う手段を備えている。
【００２６】
本発明による測定報告抑制方法は、移動局と、前記移動局との無線通信を行う無線基地局と前記無線基地局を制御する無線ネットワーク制御装置とが一体化したノード装置とから構成される移動体通信システムに用いる測定報告抑制方法であって、
前記移動局が、ソフトハンドオーバが実施されない状況でのＦＣＳ（Ｆａｓｔ  Ｃｅｌｌ  Ｓｅｌｅｃｔｉｏｎ）の実施において、ＲＲＣ（Ｒａｄｉｏ  Ｒｅｓｏｕｒｃｅ  Ｃｏｎｔｒｏｌ）レベルでの伝播環境の報告が必要な時にのみ前記ノード装置に前記ＲＲＣレベルでの伝播環境の報告を行う処理を実行している。
【００２７】
すなわち、本発明の移動体通信システムは、上記の目的を達成するため、ノードＢ（Ｎｏｄｅ  Ｂ：無線基地局）とＲＮＣ（Ｒａｄｉｏ  Ｎｅｔｗｏｒｋ  ｃｏｎｔｒｏｌｌｅｒ：無線ネットワーク制御装置）とを一体化したノード（ｅＮＢ）のＲＲＣ（Ｒａｄｉｏ  Ｒｅｓｏｕｒｃｅ  Ｃｏｎｔｒｏｌ）レイヤがＲＲＣ手順のＭｅａｓｕｒｅｍｅｎｔ  Ｃｏｎｔｒｏｌを実行する時に、移動局（ＵＥ：Ｕｓｅｒ  Ｅｑｕｉｐｍｅｎｔ）に測定結果の報告の対象となる（測定結果の報告が不要な）セル（Ｃｅｌｌ）を通知している。
【００２８】
移動局はノード（ｅＮＢ）から通知された情報にしたがって、不要な測定結果の報告をノード（ｅＮＢ）のＲＲＣレイヤに送信することを避ける。ＦＣＳ（Ｆａｓｔ  Ｃｅｌｌ  Ｓｅｌｅｃｔｉｏｎ）の対象となるセルは移動局の移動に伴って更新され、それと同時に、測定結果の報告の対象となる（測定結果の報告が不要な）セルも更新される。
【００２９】
これによって、本発明の移動体通信システムでは、移動局を制御しているノード（ｅＮＢ）が移動局に対してハンドオーバを実行する判断基準となるＭｅａｓｕｒｅｍｅｎｔ  Ｒｅｐｏｒｔ［移動局からノード（ｅＮＢ）に送信される無線区間の伝播環境の報告）の送信を移動局がＦＣＳを実施している時に抑制し、移動局での電力消費及びノード（ｅＮＢ）での処理負荷を軽減することが可能となる。
【００３０】
より具体的に説明すると、本発明の移動体通信システムでは、（１）まず、移動局、ノード（ｅＮＢ）、ａＧＷ間のコネクションが確立され、（２）ＦＣＳを実施する場合には、ＦＣＳの対象となるセルが移動局とノード（ｅＮＢ）のＭＡＣ（Ｍｅｄｉｕｍ  Ａｃｃｅｓｓ  Ｃｏｎｔｒｏｌ）レイヤに設定される。
【００３１】
（３）ノード（ｅＮＢ）のＲＲＣレイヤは移動局にＭｅａｓｕｒｅｍｅｎｔ  Ｃｏｎｔｒｏｌを送信し、ノード（ｅＮＢ）がハンドオーバの判定を行う基となる近隣セルの伝播環境の測定結果をノード（ｅＮＢ）に報告することを要求する。この時、ノード（ｅＮＢ）のＲＲＣレイヤはＦＣＳの対象となるセルを考慮し、測定結果の報告の対象となる（測定結果の報告が不要な）セルを移動局に通知する。具体的には、測定結果の報告の対象となるセルはＦＣＳの対象となるセル以外となる（測定結果の報告が不要なセルはＦＣＳの対象となるセルとなる）。
【００３２】
（４）移動局は伝播環境の測定を行った時に、上記の（３）の手順で通知された測定結果の報告の対象となる（測定結果の報告が不要な）セルの情報を考慮して、ＲＲＣレイヤでの測定結果の報告を行うかを判定する。
【００３３】
（５）ＭＡＣレイヤでの伝播環境が最良のセルの通知が行われた場合には、ノード（ｅＮＢ）のＭＡＣレイヤは、移動局のＭＡＣレイヤから通知されたセルから移動局へのデータの送信を行う。
【００３４】
（６）ＲＲＣレイヤでの測定結果の報告が行われた場合には、ノード（ｅＮＢ）のＲＲＣレイヤは移動局のＲＲＣレイヤから通知された測定結果を基に、ハンドオーバの実施の判定を行う。
【００３５】
これによって、本発明の移動体通信システムでは、移動局がＦＣＳを実施している状況において、ノード（ｅＮＢ）から移動局にＲＲＣレイヤでの測定結果の報告の対象となる（測定結果の報告が不要なセルを通知し、移動局が上述したセルを考慮して不要なＲＲＣレイヤでの測定結果の報告を抑制することで、移動局での電力消費及びノード（ｅＮＢ）での処理負荷を軽減することが可能となる。
【発明の効果】
【００３６】
本発明は、上記のような構成及び動作とすることで、移動局からノード（ｅＮＢ）のＲＲＣレイヤへの不要なセルの伝播環境の測定結果の報告を抑制することができるという効果が得られる。
【発明を実施するための最良の形態】
【００３７】
次に、本発明の実施例について図面を参照して説明する。図１は本発明の一実施例によるノード装置の構成を示すブロック図であり、図２は本発明の一実施例による移動局（ＵＥ：Ｕｓｅｒ  Ｅｑｕｉｐｍｅｎｔ）の構成を示すブロック図である。
【００３８】
図１において、本発明の一実施例によるノード装置１はノードＢ（Ｎｏｄｅ  Ｂ：無線基地局）とＲＮＣ（Ｒａｄｉｏ  Ｎｅｔｗｏｒｋ  ｃｏｎｔｒｏｌｌｅｒ：無線ネットワーク制御装置）とを一体化したノード（ｅＮＢ）であり、ＲＲＣ（Ｒａｄｉｏ  Ｒｅｓｏｕｒｃｅ  Ｃｏｎｔｒｏｌ）レイヤ１１と、ＲＬＣ（Ｒａｄｉｏ  Ｌｉｎｋ  Ｃｏｎｔｒｏｌ）レイヤ１２と、ＭＡＣ（Ｍｅｄｉｕｍ  Ａｃｃｅｓｓ  Ｃｏｎｔｒｏｌ）レイヤ１３と、ＰＨＹ（ＰＨＹｓｉｃａｌ）レイヤ１４とを備えている。これらのレイヤはノード（ｅＮＢ）のプロトコルスタックである。
【００３９】
図２において、移動局２は、上記のノード装置１と同様に、ＲＲＣレイヤ２１と、ＲＬＣレイヤ２２と、ＭＡＣレイヤ２３と、ＰＨＹレイヤ２４とを備えている。これらのレイヤは移動局２のプロトコルスタックである。尚、図１及び図２において、Ｕｕは無線区間を示している。
【００４０】
ノード装置１及び移動局２のＲＲＣレイヤ１１，２１は、ＲＬＣレイヤ１２，２２、ＭＡＣレイヤ１３，２３、ＰＨＹレイヤ１４，２４の設定、移動局２の制御を行う機能を有する。ここでの設定とは、主に、ノード装置１と移動局２との間で通信を行うためのパスの設定となる。
【００４１】
ＲＲＣ手順のＭｅａｓｕｒｅｍｅｎｔ  Ｃｏｎｔｒｏｌはノード装置１のＲＲＣレイヤ１１で生成され、測定結果の報告の対象となる（測定結果の報告が不要な）セル（Ｃｅｌｌ）はＲＲＣレイヤ１１からＲＬＣレイヤ１２、ＭＡＣレイヤ１３、ＰＨＹレイヤ１４を経由して、移動局２のＲＲＣレイヤ２１に通知される。
【００４２】
ＦＣＳ（Ｆａｓｔ  Ｃｅｌｌ  Ｓｅｌｅｃｔｉｏｎ）の対象となるセルもノード装置１のＲＲＣレイヤ１１で生成され、Ｍｅａｓｕｒｅｍｅｎｔ  Ｃｏｎｔｒｏｌと同様に移動局２のＲＲＣレイヤ２１に通知される。
【００４３】
移動局２のＲＲＣレイヤ２１は、ＦＣＳの対象となるセルを移動局２のＭＡＣレイヤ２３に設定する。移動局２のＰＨＹレイヤ２４は移動局２が存在するセルを含む近隣セルの伝播環境の測定を行う。伝播環境の測定の結果、ノード装置１のＲＲＣレイヤ１１への測定報告が必要な場合には、移動局２のＲＲＣレイヤ２１からノード装置１のＲＲＣレイヤ１１に測定結果が通知され、ノード装置１のＲＲＣレイヤ１１で、ハンドオーバの実施の判定が行われる。
【００４４】
移動局２での伝播環境の測定の結果、ノード装置１のＲＲＣレイヤ１１への測定報告が不要な場合には、移動局２のＭＡＣレイヤ２３からノード装置１のＭＡＣレイヤ１３にＦＣＳの対象となるセルの中の伝播環境が最良のセルが通知され、ノード装置１のＭＡＣレイヤ１１は、移動局２のＭＡＣレイヤ２３から通知されたセルから移動局２へのデータの送信を行う。
【００４５】
移動局２はノード装置１から通知された情報にしたがって、不要な測定結果の報告をノード装置１のＲＲＣレイヤ１１に送信することを避ける。ＦＣＳの対象となるセルは移動局２の移動に伴って更新され、それと同時に、測定結果の報告の対象となる（測定結果の報告が不要な）セルも更新される。
【００４６】
図３は本発明の一実施例による移動体通信システムの動作を示すシーケンスチャートである。これら図１〜図３を参照して本発明の一実施例による移動体通信システムの動作について説明する。
【００４７】
まず、移動局２、ノード装置１、コアネットワークを示すａＧＷ（ａｃｃｅｓｓ  ｇａｔｅｗａｙ）３間のコネクションが確立される（図３のａ１，ａ２）。ＦＣＳを実施する場合には、ＦＣＳの対象となるセルが移動局２及びノード装置１のＭＡＣレイヤ１３，２３に設定される（図３のａ３，ａ４）。
【００４８】
ノード装置１のＲＲＣレイヤ１１は移動局２にＭｅａｓｕｒｅｍｅｎｔ  Ｃｏｎｔｒｏｌを送信し（図３のａ５）、ノード装置１がハンドオーバの判定を行う基となる近隣セルの伝播環境の測定結果を、ノード装置１に報告することを要求する。この時に、ノード装置１のＲＲＣレイヤ１１はＦＣＳの対象となるセルを考慮し、測定結果の報告の対象となる（測定結果の報告が不要な）セルを移動局２に通知する。具体的には、測定結果の報告の対象となるセルはＦＣＳの対象となるセル以外となる（測定結果の報告が不要なセルはＦＣＳの対象となるセルとなる）。
【００４９】
移動局２は伝播環境の測定を行った時に、上述したノード装置１のＲＲＣレイヤ１１の手順で通知された測定結果の報告の対象となる（測定結果の報告が不要な）セルの情報を考慮して、ＲＲＣレイヤ２１での測定結果の報告を行うかを判定する（図３のａ６）。
【００５０】
ＭＡＣレイヤでの伝播環境が最良のセルの通知が行われた場合（パターン＃１の場合）、ノード装置１のＭＡＣレイヤ１３は、移動局２のＭＡＣレイヤ２３から通知されたセルから移動局２へのデータの送信を行う（図３のａ７，ａ８）。
【００５１】
また、ＲＲＣレイヤでの測定結果の報告が行われた場合（パターン＃２の場合）、ノード装置１のＲＲＣレイヤ１１は移動局２のＲＲＣレイヤ２１から通知された測定結果を基に、ハンドオーバの実施の判定を行う（図３のａ９，ａ１０）。
【００５２】
このように、本実施例では、移動局２がＦＣＳを実施している状況において、ノード装置１から移動局２にＲＲＣレイヤ２１での測定結果の報告の対象となる（測定結果の報告が不要な）セルを通知し、移動局２が上記のセルを考慮して不要なＲＲＣレイヤ２１での測定結果の報告を抑制することで、移動局２での電力消費及びノード装置１での処理負荷をそれぞれ軽減することができる。
【図面の簡単な説明】
【００５３】
【図１】本発明の一実施例によるノード装置の構成を示すブロック図である。
【図２】本発明の一実施例による移動局の構成を示すブロック図である。
【図３】本発明の一実施例による移動体通信システムの動作を示すシーケンスチャートである。
【図４】従来のＵＴＲＡＮの構成を示す図である。
【図５】従来のＤＲＮＣを介した移動局の制御を示す図である。
【図６】ＲＮＣとノードＢとが一体化したＥＵＴＲＡＮの構成を示す図である。
【図７】ノード（ｅＮＢ）間を跨る移動局の移動を示す図である。
【図８】ノード（ｅＮＢ）間を跨る移動局の移動でのハンドオーバのシーケンスチャートを示す図である。
【図９】ノード（ｅＮＢ）のプロトコルスタックを示す図である。
【図１０】同一のノード（ｅＮＢ）配下での移動局の移動を示す図である。
【図１１】ＦＣＳの概要を示す図である。
【符号の説明】
【００５４】
１  ノード装置
２  移動局
３  ａＧＷ
１１，２１  ＲＲＣレイヤ
１２，２２  ＲＬＣレイヤ
１３，２３  ＭＡＣレイヤ
１４，２４  ＰＨＹレイヤ
【図１】
2008034894.tif 000003
【図２】
2008034894.tif 000004
【図３】
2008034894.tif 000005
【図４】
2008034894.tif 000006
【図５】
2008034894.tif 000007
【図６】
2008034894.tif 000008
【図７】
2008034894.tif 000009
【図８】
2008034894.tif 000010
【図９】
2008034894.tif 000011
【図１０】
2008034894.tif 000012
【図１１】
2008034894.tif 000013